(57)【要約】【課題】冷媒の循環方向を交互に切り換えながら２つの吸着熱交換器で空気の湿度調節を行う調湿装置において、適切な高圧保護制御を行えるようにする。【解決手段】冷媒回路（50）での冷媒流路切換機構（54）の切り換えに応じて、２つの動作が交互に行われる。制限手段（122）は、高圧圧力Ｐｈが所定値よりも大きくなると、圧縮機（53）の容量の上限値を設定して、圧縮機（53）の容量を制限する保護制御を行う。保護制御中において、解除手段（123）は、高圧圧力Ｐｈが各動作の動作時間Δｔよりも長いΔｔ１の間継続して所定値よりも小さい場合に、圧縮機（53）の容量の上限値の設定を解除する。【選択図】図１０
2009109127.tif 000002
【特許請求の範囲】
【請求項１】
容量が可変な圧縮機（53）と、空気の水分を吸着する吸着剤がそれぞれ担持された第１及び第２の吸着熱交換器（51,52）と、冷媒の循環方向を可逆に切り換える冷媒流路切換機構（54）とが接続されると共に、冷媒が循環して冷凍サイクルを行う冷媒回路（50）を備え、
上記冷媒回路（50）では、上記冷媒流路切換機構（54）の切り換えに応じて、上記第１吸着熱交換器（51）を高圧冷媒が流れて第２吸着熱交換器（52）を低圧冷媒が流れる動作と、上記第１吸着熱交換器（51）を低圧冷媒が流れて第２吸着熱交換器（52）を高圧冷媒が流れる動作とが交互に行われており、
運転条件に応じて上記圧縮機（53）の容量を制御しながら、上記第１吸着熱交換器（51）又は第２吸着熱交換器（52）を通過した空気を室内へ供給して室内の湿度調節を行う調湿装置であって、
上記冷媒回路（50）の冷媒の高圧圧力Ｐｈが所定値よりも大きくなると、圧縮機（53）の最大容量以下となる上限値を設定して、圧縮機（53）の容量が該上限値以下となるように圧縮機（53）を制御する保護制御を行う制限手段（122）と、
上記保護制御中に、上記高圧圧力Ｐｈが所定の連続時間Δｔ１の間継続して所定値よりも小さい場合に、圧縮機（53）の上限値の設定を解除する解除手段（123）とを備え、
上記連続時間Δｔ１は、上記冷媒回路（50）の各動作の１回毎の動作時間Δｔよりも長い時間に設定されていることを特徴とする調湿装置。
【請求項２】
容量が可変な圧縮機（53）と、空気の水分を吸着する吸着剤がそれぞれ担持された第１及び第２の吸着熱交換器（51,52）と、冷媒の循環方向を可逆に切り換える冷媒流路切換機構（54）とが接続されると共に、冷媒が循環して冷凍サイクルを行う冷媒回路（50）を備え、
上記冷媒回路（50）では、上記冷媒流路切換機構（54）の切り換えに応じて、上記第１吸着熱交換器（51）を高圧冷媒が流れて第２吸着熱交換器（52）を低圧冷媒が流れる動作と、上記第１吸着熱交換器（51）を低圧冷媒が流れて第２吸着熱交換器（52）を高圧冷媒が流れる動作とが交互に行われており、
運転条件に応じて上記圧縮機（53）の容量を制御しながら、上記第１吸着熱交換器（51）又は第２吸着熱交換器（52）を通過した空気を室内へ供給して室内の湿度調節を行う調湿装置であって、
上記冷媒回路（50）の冷媒の高圧圧力Ｐｈが所定値よりも大きくなると、圧縮機（53）の最大容量以下となる上限値を設定して、圧縮機（53）の容量が該上限値以下となるように圧縮機（53）を制御する保護制御を行う制限手段（122）と、
上記保護制御中に、上記高圧圧力Ｐｈが所定値よりも大きくなると、上記上限値を低くするように更新する一方、上記高圧圧力Ｐｈが所定の連続時間Δｔ２の間継続して所定値よりも小さい場合に、圧縮機（53）の上限値を高くするように更新する更新手段（124）とを備え、
上記連続時間Δｔ２は、上記冷媒回路（50）の各動作の１回毎の動作時間Δｔよりも長い時間に設定されていることを特徴とする調湿装置。
【発明の詳細な説明】
【技術分野】
【０００１】
本発明は、２つの吸着熱交換器で空気の湿度調節を行う調湿装置に関し、高圧保護対策に係るものである。
【背景技術】
【０００２】
従来より、室外空気や室内空気を調湿し、調湿後の空気を室内へ供給する調湿装置が知られている。この種の調湿装置として、特許文献１には、吸着剤が担持された吸着熱交換器を備えた調湿装置が開示されている。
【０００３】
特許文献１の調湿装置は、冷媒が循環して冷凍サイクルが行われる冷媒回路を有している。冷媒回路には、圧縮機と、第１吸着熱交換器と、第２吸着熱交換器と、膨張弁と、四方切換弁（冷媒流路切換機構）とが接続されている。圧縮機は、ケーシング内の所定の収容室に設けられている。また、第１吸着熱交換器と第２吸着熱交換器とは、ケーシング内の第１熱交換器室及び第２吸着熱交換器室にそれぞれ設けられている。
【０００４】
冷媒回路では、四路切換弁の設定に応じて冷媒の循環方向が可逆に切り換え可能となっている。具体的に、冷媒回路では、四路切換弁の設定が所定時間おきに切り換わることで、第１吸着熱交換器を高圧冷媒が流れて第２吸着熱交換器を低圧冷媒が流れる第１の動作と、第１吸着熱交換器を低圧冷媒が流れて第２吸着熱交換器を高圧冷媒が流れる動作とが交互に行われる。
【０００５】
低圧冷媒を流れる方の吸着熱交換器（蒸発器）では、吸着剤に空気中の水分が吸着される。高圧冷媒を流れる方の吸着熱交換器（凝縮器若しくは放熱器）では、水分が吸着剤から脱離して空気に付与される。このように、各吸着熱交換器では、四路切換弁の切り換えに伴い、水分を吸着する動作（吸着動作）と水分を脱離する動作（再生動作）とが交互に行われる。
【０００６】
この調湿装置は、各吸着熱交換器を通過した空気の一方を室内へ供給して他方を室外へ排出する。例えば、除湿運転中の調湿装置では、第１及び第２の吸着熱交換器のうち蒸発器として動作する方を通過した空気が室内へ供給されて、凝縮器として動作する方を通過した空気が室外へ排出されるように、ケーシング内での空気の流通経路が設定される。この調湿装置では、このような空気の流通経路を複数のダンパの開閉動作によって切り換えるようにしている。
【０００７】
また、特許文献１の調湿装置は、圧縮機の運転周波数（即ち、圧縮機の容量）を制御することで、冷媒回路内の冷媒の循環量が調節可能となっている。具体的に、この調湿装置では、室内の必要な調湿量（調湿負荷）に応じて圧縮機の運転周波数が制御され、これに伴い吸着熱交換器を流れる冷媒量が変更される。その結果、吸着熱交換器の吸着剤に吸着される、あるいは脱離される水分量が調節され、ひいては調湿装置の調湿能力が適宜変化する。
【特許文献１】特開２００５−２９１５３２号公報
【発明の開示】
【発明が解決しようとする課題】
【０００８】
ところで、特許文献１に開示されているような調湿装置の運転時には、その運転条件によっては冷媒回路の高圧が上昇してしまうことがある。その結果、圧縮機（特に圧縮機の軸受け等）や冷媒回路に接続された他の構成部品の故障や破損を招く虞がある。
【０００９】
そこで、冷媒回路の高圧圧力が大きくなると、圧縮機の容量（運転周波数等）に上限値を設定し、圧縮機の容量が上限値以下となるような保護制御（高圧保護制御）を行うことが考えられる。これにより、冷媒回路の高圧上昇を未然に防ぐことができる。
【００１０】
一方、このような保護制御の解除条件としては、冷媒回路の高圧圧力が所定値よりも小さくなったことを条件とすることが考えられる。しかしながら、上述の如く、特許文献１に開示されている調湿装置では、四方切換弁の切り換えに応じて２つの動作を交互に行っており、これらの各動作では冷媒の循環方向の反転に伴い高圧圧力が大きく変動する。従って、高圧圧力が変動した状態であるにも拘わらず、上記のような保護制御の解除判定を行うと、保護制御が解除された後に再び高圧圧力が増大変化して即座に保護制御に移行してしまう虞がある。その結果、調湿装置の運転時に保護制御が高頻度で繰り返されることになり、安定的な運転を継続できないという問題が生じる。
【００１１】
本発明は、かかる点に鑑みてなされたものであり、その目的は、冷媒の循環方向を交互に切り換えながら２つの吸着熱交換器で空気の湿度調節を行う調湿装置において、適切な高圧保護制御を行えるようにすることである。
【課題を解決するための手段】
【００１２】
第１の発明は、容量が可変な圧縮機（53）と、空気の水分を吸着する吸着剤がそれぞれ担持された第１及び第２の吸着熱交換器（51,52）と、冷媒の循環方向を可逆に切り換える冷媒流路切換機構（54）とが接続されると共に、冷媒が循環して冷凍サイクルを行う冷媒回路（50）を備え、該冷媒回路（50）では、上記冷媒流路切換機構（54）の切り換えに応じて、上記第１吸着熱交換器（51）を高圧冷媒が流れて第２吸着熱交換器（52）を低圧冷媒が流れる動作と、上記第１吸着熱交換器（51）を低圧冷媒が流れて第２吸着熱交換器（52）を高圧冷媒が流れる動作とが交互に行われており、運転条件に応じて上記圧縮機（53）の容量を制御しながら、上記第１吸着熱交換器（51）又は第２吸着熱交換器（52）を通過した空気を室内へ供給して室内の湿度調節を行う調湿装置を前提としている。そして、第１の発明の調湿装置は、上記冷媒回路（50）の冷媒の高圧圧力Ｐｈが所定値よりも大きくなると、圧縮機（53）の最大容量以下となる上限値を設定して、圧縮機（53）の容量が該上限値以下となるように圧縮機（53）を制御する保護制御を行う制限手段（122）と、該保護制御中に、上記高圧圧力Ｐｈが所定の連続時間Δｔ１の間継続して所定値よりも小さい場合に、圧縮機（53）の上限値の設定を解除する解除手段（123）とを備え、上記連続時間Δｔ１は、上記冷媒回路（50）の各動作の１回毎の動作時間Δｔよりも長い時間に設定されていることを特徴とするものである。
【００１３】
また、第２の発明は、上記第１の発明と同様の前提となる調湿装置において、上記冷媒回路（50）の冷媒の高圧圧力Ｐｈが所定値よりも大きくなると、圧縮機（53）の最大容量以下となる上限値を設定して、圧縮機（53）の容量が該上限値以下となるように圧縮機（53）を制御する保護制御を行う制限手段（122）と、該保護制御中に、上記高圧圧力Ｐｈが所定値よりも大きくなると、上記上限値を低くするように更新する一方、上記高圧圧力Ｐｈが所定の連続時間Δｔ１の間継続して所定値よりも小さい場合に、圧縮機（53）の上限値を高くするように更新する更新手段（124）とを備え、上記連続時間Δｔ１は、上記冷媒回路（50）の各動作の１回毎の動作時間Δｔよりも長い時間に設定されていることを特徴とするものである。
【００１４】
第１や第２の発明の調湿装置では、冷媒回路（50）の冷媒流路切換機構（54）の切り換えに応じて、２つの動作が交互に行われる。具体的に、冷媒回路（50）では、第１吸着熱交換器（51）を高圧冷媒が流れて第２吸着熱交換器（52）を低圧冷媒が流れる冷凍サイクルと、第１吸着熱交換器（51）を低圧冷媒が流れて第２吸着熱交換器（52）を高圧冷媒が流れる冷凍サイクルとが交互に行われる。
【００１５】
低圧側（即ち、蒸発器）となる吸着熱交換器（51,52）では、低圧冷媒によって該吸着熱交換器（51,52）の吸着剤が冷却される。この状態の吸着熱交換器（51,52）を空気が通過すると、該吸着熱交換器（51,52）の吸着剤に空気が接触し、空気中の水分が吸着剤に吸着される。一方、高圧側（即ち、凝縮器や放熱器）となる吸着熱交換器（52,51）では、高圧冷媒に該吸着熱交換器（52,51）の吸着剤が加熱される。この状態の吸着熱交換器（52,51）を空気が通過すると、該吸着熱交換器（52,51）の吸着剤に空気が接触し、吸着剤から脱離（脱着）した水分が空気中へ付与される。調湿装置では、このような２つの動作を交互に切り換えることで、第１吸着熱交換器（51）の吸着剤に水分が吸着されて、第２吸着熱交換器（52）の吸着剤が再生される動作と、第１吸着熱交換器（51）の吸着剤が再生されて、第２吸着熱交換器（52）の吸着剤に水分が吸着される動作とが交互に切り換えられる。そして、例えば吸着熱交換器（51,52）で水分が吸着された空気が室内へ供給されることで、室内の除湿がなされ、例えば吸着熱交換器（52,51）から水分が放出された空気が室内へ供給されることで、室内の加湿がなされる。
【００１６】
このような調湿装置の運転時には、その運転条件に応じて圧縮機（53）の容量（例えば運転周波数）が調節される。このように圧縮機（53）の容量が制御されることで、冷媒回路（50）を流れる冷媒の循環量が変更され、各吸着熱交換器（51,52）の吸着剤での水分の吸着量や、吸着剤から再生される水分の放出量が調節される。これにより、調湿装置の調湿能力（除湿能力や加湿能力）が調節される。
【００１７】
ところで、このような調湿装置の運転時には、その運転条件に応じて冷媒回路（50）の高圧圧力が上昇してしまう。そこで、第１や第２の発明の調湿装置では、上記の各動作中において冷媒回路（50）の高圧圧力が高くなり過ぎないように、圧縮機（53）の容量（例えば運転周波数）を制限するようにしている。
【００１８】
具体的に、冷媒回路（50）の高圧圧力（例えば凝縮圧力）が所定値よりも大きくなると、制限手段（122）は圧縮機（53）の容量の上限値を設定する。この上限値は、圧縮機（53）の容量の制御範囲のうち最も大きな容量以上となる所定の値である。そして、制限手段（122）は、圧縮機（53）の容量が上限値以下となるように圧縮機（53）の容量を制限しながら制御する、保護制御（高圧保護制御）を行う。
【００１９】
第１の発明では、上記保護制御中に、この保護制御を解除する判定が行われる。具体的に、第１の発明の解除手段（123）は、高圧圧力Ｐｈが所定の連続時間Δｔ１以上継続して所定値より小さい場合に、上限値の設定を解除して保護制御を終了させる。
【００２０】
ところで、冷媒回路（50）で上述の２つの動作を交互に繰り返すと、切り換え直後には高圧圧力が低くなり、動作の継続に伴い高圧圧力が増大変化する。従って、高圧圧力は、次の動作の切り換え直前に最大となるような傾向にある。このように、各動作中には、高圧圧力が所定の挙動で変動することになる。
【００２１】
そこで、第１の発明では、このような高圧圧力のピーク時点も保護制御の解除を成立させるための期間に含めるように、上記連続時間Δｔ１を上記動作時間Δｔよりも長く設定している。即ち、保護制御中において、高圧圧力が所定値より小さくなった時点から連続時間Δｔ１が経過するまでの間に、高圧圧力のピーク時点が含まれることなる。従って、本発明では、このピーク時点を含めて連続時間Δｔ１以上継続して高圧圧力Ｐｈが所定値より小さい場合に、保護制御が解除される。これにより、冷媒回路（50）の高圧圧力が確実に所定値を下回っていることを確認して保護制御を解除できる。その結果、保護制御が解除された直後に高圧圧力が増大変化して再び保護制御に移行してしまうことを回避できる。
【００２２】
また、第２の発明の更新手段（124）は、上記の保護制御中において、高圧圧力ΔＰｈが所定値よりも大きいと、設定済みの上限値を低くして圧縮機（53）の容量を更に制限する。これにより、冷媒回路（50）での高圧圧力の上昇が確実に防止される。
【００２３】
一方、保護制御中においては、高圧圧力ΔＰｈが所定の連続時間Δｔ２以上継続して所定値より小さい場合には、更新手段（124）が上限値の設定を低くして圧縮機（53）の容量の制限を緩くする。
【００２４】
ここで、第２の発明においても、上昇方向への上限値の更新を成立させるための期間内に上述の高圧圧力のピーク時点を含めるように、上記連続時間Δｔ２を上記動作時間Δｔよりも長く設定している。即ち、保護制御中において、高圧圧力が所定値より小さくなった時点から連続時間Δｔ２が経過するまでの間に、高圧圧力のピーク時点が含まれることなる。従って、本発明では、このピーク時点も含めて連続時間Δｔ２以上継続して高圧圧力Ｐｈが所定値より小さい場合に、上限値が高く更新される。これにより、冷媒回路（50）の高圧圧力が確実に所定値を下回っていることが確認して上限値を上昇方向へ更新できる。その結果、上限値が高く更新された直後に高圧圧力が増大することで、上限値が再び低く更新されてしまうことを回避できる。
【発明の効果】
【００２５】
第１の発明では、保護制御中において、冷媒回路（50）で交互に行われる２つの動作の各動作時間Δｔよりも長い連続時間Δｔ１の間、継続して高圧圧力Ｐｈが所定値よりも小さい場合に、圧縮機（53）の容量の上限値の設定を解除し、保護制御を終了させるようにしている。これにより、第１の発明によれば、各動作について最も高圧冷媒が大きくなる時点も条件成立の判定期間に入れながら、保護制御を解除できる。従って、保護制御への移行→保護制御の解除→保護制御の移行…という制御が短時間に高頻度に行われてしまうことを回避でき、適切な高圧保護制御を行うことができる。
【００２６】
第２の発明では、保護制御中において、冷媒回路（50）で交互に行われる２つの動作の各動作時間Δｔよりも長い連続時間Δｔ２の間、継続して高圧圧力Ｐｈが所定値よりも小さい場合に、圧縮機（53）の容量の上限値を高く更新するようにしている。これにより、第２の発明によれば、各動作について最も高圧圧力が大きくなる時点も条件成立の判定期間に入れながら、上限値を高くする更新を行うことができる。従って、上限値が短時間の間に高頻度に昇降してしまうことを回避できるので、保護制御中において適切に上限値を更新することができる。
【発明を実施するための最良の形態】
【００２７】
以下、本発明の実施形態を図面に基づいて詳細に説明する。本実施形態の調湿装置（10）は、室内の湿度調節と共に室内の換気を行うものであり、取り込んだ室外空気（OA）を湿度調節して室内へ供給すると同時に、取り込んだ室内空気（RA）を室外に排出する。
【００２８】
〈調湿装置の全体構成〉
調湿装置（10）について、図１，図２を適宜参照しながら説明する。なお、ここでの説明で用いる「上」「下」「左」「右」「前」「後」「手前」「奥」は、特にことわらない限り、調湿装置（10）を前面側から見た場合の方向を意味している。
【００２９】
調湿装置（10）は、ケーシング（11）を備えている。また、ケーシング（11）内には、冷媒回路（50）が収容されている。この冷媒回路（50）には、第１吸着熱交換器（51）、第２吸着熱交換器（52）、圧縮機（53）、四方切換弁（54）、及び電動膨張弁（55）が接続されている。冷媒回路（50）の詳細は後述する。
【００３０】
ケーシング（11）は、やや扁平で高さが比較的低い直方体状に形成されている。図１に示すケーシング（11）では、左手前の側面（即ち、前面）が前面パネル部（12）となり、右奥の側面（即ち、背面）が背面パネル部（13）となり、右手前の側面が第１側面パネル部（14）となり、左奥の側面が第２側面パネル部（15）となっている。
【００３１】
ケーシング（11）には、外気吸込口（24）と、内気吸込口（23）と、給気口（22）と、排気口（21）とが形成されている。外気吸込口（24）及び内気吸込口（23）は、背面パネル部（13）に開口している。外気吸込口（24）は、背面パネル部（13）の下側部分に配置されている。内気吸込口（23）は、背面パネル部（13）の上側部分に配置されている。給気口（22）は、第１側面パネル部（14）における前面パネル部（12）側の端部付近に配置されている。排気口（21）は、第２側面パネル部（15）における前面パネル部（12）側の端部付近に配置されている。
【００３２】
ケーシング（11）の内部空間には、上流側仕切板（71）と、下流側仕切板（72）と、中央仕切板（73）と、第１仕切板（74）と、第２仕切板（75）とが設けられている。これらの仕切板（71〜75）は、何れもケーシング（11）の底板に立設されており、ケーシング（11）の内部空間をケーシング（11）の底板から天板に亘って区画している。
【００３３】
上流側仕切板（71）及び下流側仕切板（72）は、前面パネル部（12）及び背面パネル部（13）と平行な姿勢で、ケーシング（11）の前後方向に所定の間隔をおいて配置されている。上流側仕切板（71）は、背面パネル部（13）寄りに配置されている。下流側仕切板（72）は、前面パネル部（12）寄りに配置されている。
【００３４】
第１仕切板（74）及び第２仕切板（75）は、第１側面パネル部（14）及び第２側面パネル部（15）と平行な姿勢で設置されている。第１仕切板（74）は、上流側仕切板（71）と下流側仕切板（72）の間の空間を右側から塞ぐように、第１側面パネル部（14）から所定の間隔をおいて配置されている。第２仕切板（75）は、上流側仕切板（71）と下流側仕切板（72）の間の空間を左側から塞ぐように、第２側面パネル部（15）から所定の間隔をおいて配置されている。
【００３５】
中央仕切板（73）は、上流側仕切板（71）及び下流側仕切板（72）と直交する姿勢で、上流側仕切板（71）と下流側仕切板（72）の間に配置されている。中央仕切板（73）は、上流側仕切板（71）から下流側仕切板（72）に亘って設けられ、上流側仕切板（71）と下流側仕切板（72）の間の空間を左右に区画している。
【００３６】
ケーシング（11）内において、上流側仕切板（71）と背面パネル部（13）の間の空間は、上下２つの空間に仕切られており、上側の空間が内気側通路（32）を構成し、下側の空間が外気側通路（34）を構成している。内気側通路（32）は、内気吸込口（23）に接続するダクトを介して室内と連通している。内気側通路（32）には、内気側フィルタ（27）と内気湿度センサ（96）とが設置されている。外気側通路（34）は、外気吸込口（24）に接続するダクトを介して室外空間と連通している。外気側通路（34）には、外気側フィルタ（28）と外気湿度センサ（97）とが設置されている。
【００３７】
ケーシング（11）内における上流側仕切板（71）と下流側仕切板（72）の間の空間は、中央仕切板（73）によって左右に区画されており、中央仕切板（73）の右側の空間が第１熱交換器室（37）を構成し、中央仕切板（73）の左側の空間が第２熱交換器室（38）を構成している。第１熱交換器室（37）には、第１吸着熱交換器（51）が収容されている。第２熱交換器室（38）には、第２吸着熱交換器（52）が収容されている。また、図示しないが、第１熱交換器室（37）には、冷媒回路（50）の電動膨張弁（55）が収容されている。
【００３８】
各吸着熱交換器（51,52）は、いわゆるクロスフィン型のフィン・アンド・チューブ熱交換器の表面に吸着剤を担持させたものであって、全体として長方形の厚板状あるいは扁平な直方体状に形成されている。各吸着熱交換器（51,52）は、その前面及び背面が上流側仕切板（71）及び下流側仕切板（72）と平行になる姿勢で、熱交換器室（37,38）内に立設されている。
【００３９】
ケーシング（11）の内部空間において、下流側仕切板（72）の前面に沿った空間は、上下に仕切られており、この上下に仕切られた空間のうち、上側の部分が給気側通路（31）を構成し、下側の部分が排気側通路（33）を構成している。
【００４０】
上流側仕切板（71）には、開閉式のダンパ（41〜44）が４つ設けられている。各ダンパ（41〜44）は、概ね横長の長方形状に形成されている。具体的に、上流側仕切板（71）のうち内気側通路（32）に面する部分（上側部分）では、中央仕切板（73）よりも右側に第１内気側ダンパ（41）が取り付けられ、中央仕切板（73）よりも左側に第２内気側ダンパ（42）が取り付けられる。また、上流側仕切板（71）のうち外気側通路（34）に面する部分（下側部分）では、中央仕切板（73）よりも右側に第１外気側ダンパ（43）が取り付けられ、中央仕切板（73）よりも左側に第２外気側ダンパ（44）が取り付けられる。
【００４１】
下流側仕切板（72）には、開閉式のダンパ（45〜48）が４つ設けられている。各ダンパ（45〜48）は、概ね横長の長方形状に形成されている。具体的に、下流側仕切板（72）のうち給気側通路（31）に面する部分（上側部分）では、中央仕切板（73）よりも右側に第１給気側ダンパ（45）が取り付けられ、中央仕切板（73）よりも左側に第２給気側ダンパ（46）が取り付けられる。また、下流側仕切板（72）のうち排気側通路（33）に面する部分（下側部分）では、中央仕切板（73）よりも右側に第１排気側ダンパ（47）が取り付けられ、中央仕切板（73）よりも左側に第２排気側ダンパ（48）が取り付けられる。
【００４２】
ケーシング（11）内において、給気側通路（31）及び排気側通路（33）と前面パネル部（12）との間の空間は、仕切板（77）によって左右に仕切られており、仕切板（77）の右側の空間が給気ファン室（36）を構成し、仕切板（77）の左側の空間が排気ファン室（35）を構成している。
【００４３】
給気ファン室（36）には、給気ファン（26）が収容されている。また、排気ファン室（35）には排気ファン（25）が収容されている。給気ファン（26）及び排気ファン（25）は、何れも遠心型の多翼ファン（いわゆるシロッコファン）である。給気ファン（26）は、下流側仕切板（72）側から吸い込んだ空気を給気口（22）へ吹き出す。排気ファン（25）は、下流側仕切板（72）側から吸い込んだ空気を排気口（21）へ吹き出す。
【００４４】
給気ファン室（36）には、冷媒回路（50）の圧縮機（53）と四方切換弁（54）とが収容されている。圧縮機（53）及び四方切換弁（54）は、給気ファン室（36）における給気ファン（26）と仕切板（77）との間に配置されている。
【００４５】
圧縮機（53）は、圧縮機モータの回転数が可変（即ち、容量が可変）なインバータ式の圧縮機で構成されている。また、圧縮機（53）は、固定スクロールと可動スクロールとが噛み合わされて、可動スクロールが固定スクロールに対して偏心回転して冷媒を圧縮する、公知のスクロール式の圧縮機で構成されている。更に、圧縮機（53）は、ケーシング内に高圧冷媒が満たされる、いわゆる高圧ドーム式であり、高圧冷媒の圧力を利用して可動スクロールを固定スクロールに押し付けるように構成されている。また、圧縮機（53）は、ケーシング内の底部に油溜めが形成されており、ケーシング内の圧力を利用して油を圧縮機構へ供給するように構成されている。具体的に、この油は、駆動軸の下端に設けられた油ポンプにより圧送され、駆動軸を軸方向に貫通する油供給通路を通じて圧縮機構の摺動部へ供給される。
【００４６】
ケーシング（11）内において、第１仕切板（74）と第１側面パネル部（14）の間の空間は、第１バイパス通路（81）を構成している。第１バイパス通路（81）の始端は、外気側通路（34）だけに連通しており、内気側通路（32）からは遮断されている。第１バイパス通路（81）の終端は、仕切板（78）によって、給気側通路（31）、排気側通路（33）、及び給気ファン室（36）から区画されている。仕切板（78）のうち給気ファン室（36）に臨む部分には、第１バイパス用ダンパ（83）が設けられている。
【００４７】
ケーシング（11）内において、第２仕切板（75）と第２側面パネル部（15）の間の空間は、第２バイパス通路（82）を構成している。第２バイパス通路（82）の始端は、内気側通路（32）だけに連通しており、外気側通路（34）からは遮断されている。第２バイパス通路（82）の終端は、仕切板（79）によって、給気側通路（31）、排気側通路（33）、及び排気ファン室（35）から区画されている。仕切板（79）のうち排気ファン室（35）に臨む部分には、第２バイパス用ダンパ（84）が設けられている。
【００４８】
なお、図２の右側面図及び左側面図では、第１バイパス通路（81）、第２バイパス通路（82）、第１バイパス用ダンパ（83）、及び第２バイパス用ダンパ（84）の図示を省略している。
【００４９】
〈冷媒回路の構成〉
図３に示すように、冷媒回路（50）は、第１吸着熱交換器（51）、第２吸着熱交換器（52）、圧縮機（53）、四方切換弁（54）、及び電動膨張弁（55）が設けられた閉回路である。この冷媒回路（50）は、充填された冷媒を循環させることによって、蒸気圧縮冷凍サイクルを行う。
【００５０】
冷媒回路（50）において、圧縮機（53）は、その吐出側が四方切換弁（54）の第１のポートに、その吸入側が四方切換弁（54）の第２のポートにそれぞれ接続されている。また、冷媒回路（50）では、第１吸着熱交換器（51）と電動膨張弁（55）と第２吸着熱交換器（52）とが、四方切換弁（54）の第３のポートから第４のポートへ向かって順に接続されている。
【００５１】
四方切換弁（54）は、第１のポートと第３のポートが連通して第２のポートと第４のポートが連通する第１状態（図３(Ａ)に示す状態）と、第１のポートと第４のポートが連通して第２のポートと第３のポートが連通する第２状態（図３(Ｂ)に示す状態）とに切り換え可能となっている。このような四方切換弁（54）の設定の切り換えに応じて、冷媒回路（50）での冷媒の循環方向が反転する。即ち、四方切換弁（54）は、冷媒の循環方向を可逆に切り換える冷媒流路切換機構を構成している。そして、冷媒回路（50）では、四方切換弁（54）の切り換えに応じて、第１吸着熱交換器（51）を高圧冷媒が流れて第２吸着熱交換器（52）を低圧冷媒が流れる動作と、第１吸着熱交換器（51）を低圧冷媒が流れて第２吸着熱交換器（52）を高圧冷媒が流れる動作とが交互に行われる。
【００５２】
冷媒回路（50）において、圧縮機（53）の吐出側と四方切換弁（54）の第１のポートとを繋ぐ配管には、高圧圧力センサ（91）と、吐出管温度センサ（93）とが取り付けられている。高圧圧力センサ（91）は、圧縮機（53）から吐出された冷媒の圧力を計測する。吐出管温度センサ（93）は、圧縮機（53）から吐出された冷媒の温度を計測する。
【００５３】
また、冷媒回路（50）において、圧縮機（53）の吸入側と四方切換弁（54）の第２のポートとを繋ぐ配管には、低圧圧力センサ（92）と、吸入管温度センサ（94）とが取り付けられている。低圧圧力センサ（92）は、圧縮機（53）へ吸入される冷媒の圧力を計測する。吸入管温度センサ（94）は、圧縮機（53）へ吸入される冷媒の温度を計測する。
【００５４】
また、冷媒回路（50）において、四方切換弁（54）の第３のポートと第１吸着熱交換器（51）とを繋ぐ配管には、配管温度センサ（95）が取り付けられている。配管温度センサ（95）は、この配管における四方切換弁（54）の近傍に配置され、配管内を流れる冷媒の温度を計測する。
【００５５】
〈制御部の構成〉
図４に示すように、調湿装置（10）には、制御部（120）が設けられている。制御部（120）には、上述した各センサで測定した検出値が入力される。また、制御部（120）からは、圧縮機（53）や四方切換弁（54）や電動膨張弁（55）等の各構成機器へ制御信号が出力される。制御部（120）は、圧縮機制御部（121）と保護制御判定部（122）と保護制御解除判定部（123）と上限値更新部（124）とを有している。
【００５６】
圧縮機制御部（121）は、圧縮機（53）の運転周波数（即ち、圧縮機の容量）を制御するものである。つまり、圧縮機制御部（121）は、圧縮機モータへの出力周波数を制御することで、圧縮機（53）の回転数を調節する。
【００５７】
より具体的には、制御部（120）には、調湿装置（10）の調湿能力（除湿能力や加湿能力）と、圧縮機（53）の運転周波数とが関連付けられたデータベース（相関式）が記憶されている。制御部（120）は、室内を最適な湿度に維持するための調湿能力（必要調湿能力）を算出し、上記データベースに基づいて算出後の調湿能力を満たすような圧縮機（53）の運転周波数（必要運転周波数）を求める。なお、上記必要調湿能力は、内気湿度センサ（96）で測定した室内空気の湿度、外気湿度センサ（97）で測定した室外空気の湿度、室内空気の温度、室外空気の温度、室内の設定湿度（例えばユーザー等が入力した目標湿度）、室内の設定温度（例えばユーザー等が入力した目標温度）等に基づいて算出される。圧縮機制御部（121）は、圧縮機（53）の運転周波数が上記必要運転周波数に近づくように圧縮機（53）を制御する。これにより、冷媒回路（50）での冷媒循環量が変化し、ひいては各吸着熱交換器（51,52）での放熱量や吸熱量が変化する。その結果、各吸着熱交換器（51,52）の吸着剤における水分の吸着量や脱着量も変化し、最終的には空気の除湿能力や加湿能力が調節される。
【００５８】
上記保護制御判定部（122）は、調湿装置（10）の運転時において、詳細は後述する保護制御への移行判定を行って圧縮機（53）の容量を制限する制限手段を構成している。具体的に、保護制御判定部（122）は、冷媒回路（50）の高圧冷媒の圧力Ｐｈが所定値よりも大きくなると、圧縮機（53）の運転周波数の上限値を設定し、圧縮機（53）の運転周波数が上限値以下となるような保護制御（高圧保護制御）を行う。ここで、運転周波数の上限値は、圧縮機（53）の運転周波数の制御範囲における最高周波数以下となるような所定の値が設定される。
【００５９】
上記保護制御解除判定部（123）は、上記高圧保護制御中において、当該保護制御を解除するか否かの判定を行って上記保護制御を解除する解除手段を構成している。具体的に、保護制御解除判定部（123）は、冷媒回路（50）の高圧冷媒の圧力Ｐｈが連続時間Δｔ１以上継続して所定値よりも小さい場合に、圧縮機（53）の運転周波数の上限値の設定を解除し、保護制御を終了させる。ここで、上記連続時間Δｔ１は、詳細は後述する第１動作や第２動作の動作時間Δｔよりも長い時間に設定されている。
【００６０】
上記上限値更新部（124）は、上記高圧保護制御中において、冷媒回路（50）の高圧冷媒の圧力Ｐｈに基づいて、圧縮機（53）の運転周波数の上限値を高くする又は低くする補正を行う更新手段を構成している。具体的に、上限値更新部（124）は、高圧冷媒の圧力Ｐｈが所定値よりも大きいと、上限値を低くする更新を行う。また、上限値更新部（124）は、高圧冷媒の圧力ｐｈが所定の連続時間Δｔ２以上継続して所定値よりも小さい場合に、上限値を高くする更新を行う。以上のような高圧保護制御の詳細は後述するものとする。
【００６１】
−運転動作−
本実施形態の調湿装置（10）は、除湿換気運転と、加湿換気運転と、単純換気運転とを選択的に行う。除湿換気運転中や加湿換気運転中の調湿装置（10）は、取り込んだ室外空気（OA）を湿度調節してから供給空気（SA）として室内へ供給すると同時に、取り込んだ室内空気（RA）を排出空気（EA）として室外へ排出する。一方、単純換気運転中の調湿装置（10）は、取り込んだ室外空気（OA）をそのまま供給空気（SA）として室内へ供給すると同時に、取り込んだ室内空気（RA）をそのまま排出空気（EA）として室外へ排出する。
【００６２】
〈除湿換気運転〉
除湿換気運転中の調湿装置（10）では、後述する第１動作と第２動作が所定の時間間隔（３分間隔）で交互に繰り返される。つまり、除湿換気運転での２つの動作の１回毎の動作時間Δｔは３分に設定されている。
この除湿換気運転中において、第１バイパス用ダンパ（83）及び第２バイパス用ダンパ（84）は、常に閉状態となる。
【００６３】
除湿換気運転中の調湿装置（10）では、室外空気が外気吸込口（24）からケーシング（11）内へ第１空気として取り込まれ、室内空気が内気吸込口（23）からケーシング（11）内へ第２空気として取り込まれる。
【００６４】
先ず、除湿換気運転の第１動作について説明する。図５に示すように、この第１動作中には、第１内気側ダンパ（41）、第２外気側ダンパ（44）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となる。また、この第１動作中の冷媒回路（50）では、四方切換弁（54）が第１状態（図３(Ａ)に示す状態）に設定され、第１吸着熱交換器（51）が凝縮器となって第２吸着熱交換器（52）が蒸発器となる。
【００６５】
外気側通路（34）へ流入して外気側フィルタ（28）を通過した第１空気は、第２外気側ダンパ（44）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で除湿された第１空気は、第２給気側ダンパ（46）を通って給気側通路（31）へ流入し、給気ファン室（36）を通過後に給気口（22）を通って室内へ供給される。
【００６６】
一方、内気側通路（32）へ流入して内気側フィルタ（27）を通過した第２空気は、第１内気側ダンパ（41）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で水分を付与された第２空気は、第１排気側ダンパ（47）を通って排気側通路（33）へ流入し、排気ファン室（35）を通過後に排気口（21）を通って室外へ排出される。
【００６７】
次に、除湿換気運転の第２動作について説明する。図６に示すように、この第２動作中には、第２内気側ダンパ（42）、第１外気側ダンパ（43）、第１給気側ダンパ（45）、及び第２排気側ダンパ（48）が開状態となり、第１内気側ダンパ（41）、第２外気側ダンパ（44）、第２給気側ダンパ（46）、及び第１排気側ダンパ（47）が閉状態となる。また、この第２動作中の冷媒回路（50）では、四方切換弁（54）が第２状態（図３(Ｂ)に示す状態）に設定され、第１吸着熱交換器（51）が蒸発器となって第２吸着熱交換器（52）が凝縮器となる。
【００６８】
外気側通路（34）へ流入して外気側フィルタ（28）を通過した第１空気は、第１外気側ダンパ（43）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で除湿された第１空気は、第１給気側ダンパ（45）を通って給気側通路（31）へ流入し、給気ファン室（36）を通過後に給気口（22）を通って室内へ供給される。
【００６９】
一方、内気側通路（32）へ流入して内気側フィルタ（27）を通過した第２空気は、第２内気側ダンパ（42）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で水分を付与された第２空気は、第２排気側ダンパ（48）を通って排気側通路（33）へ流入し、排気ファン室（35）を通過後に排気口（21）を通って室外へ排出される。
【００７０】
〈加湿換気運転〉
加湿換気運転中の調湿装置（10）では、後述する第１動作と第２動作が所定の時間間隔（４分間隔）で交互に繰り返される。つまり、加湿換気運転での２つの動作の１回毎の動作時間Δｔは３分に設定されている。
この加湿換気運転中において、第１バイパス用ダンパ（83）及び第２バイパス用ダンパ（84）は、常に閉状態となる。
【００７１】
加湿換気運転中の調湿装置（10）では、室外空気が外気吸込口（24）からケーシング（11）内へ第２空気として取り込まれ、室内空気が内気吸込口（23）からケーシング（11）内へ第１空気として取り込まれる。
【００７２】
先ず、加湿換気運転の第１動作について説明する。図７に示すように、この第１動作中には、第２内気側ダンパ（42）、第１外気側ダンパ（43）、第１給気側ダンパ（45）、及び第２排気側ダンパ（48）が開状態となり、第１内気側ダンパ（41）、第２外気側ダンパ（44）、第２給気側ダンパ（46）、及び第１排気側ダンパ（47）が閉状態となる。また、この第１動作中の冷媒回路（50）では、四方切換弁（54）が第１状態（図３(Ａ)に示す状態）に設定され、第１吸着熱交換器（51）が凝縮器となって第２吸着熱交換器（52）が蒸発器となる。
【００７３】
内気側通路（32）へ流入して内気側フィルタ（27）を通過した第１空気は、第２内気側ダンパ（42）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で水分を奪われた第１空気は、第２排気側ダンパ（48）を通って排気側通路（33）へ流入し、排気ファン室（35）を通過後に排気口（21）を通って室外へ排出される。
【００７４】
一方、外気側通路（34）へ流入して外気側フィルタ（28）を通過した第２空気は、第１外気側ダンパ（43）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で加湿された第２空気は、第１給気側ダンパ（45）を通って給気側通路（31）へ流入し、給気ファン室（36）を通過後に給気口（22）を通って室内へ供給される。
【００７５】
次に、加湿換気運転の第２動作について説明する。図８に示すように、この第２動作中には、第１内気側ダンパ（41）、第２外気側ダンパ（44）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となる。また、この第２動作中の冷媒回路（50）では、四方切換弁（54）が第２状態（図３(Ｂ)に示す状態）に設定され、第１吸着熱交換器（51）が蒸発器となって第２吸着熱交換器（52）が凝縮器となる。
【００７６】
内気側通路（32）へ流入して内気側フィルタ（27）を通過した第１空気は、第１内気側ダンパ（41）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で水分を奪われた第１空気は、第１排気側ダンパ（47）を通って排気側通路（33）へ流入し、排気ファン室（35）を通過後に排気口（21）を通って室外へ排出される。
【００７７】
一方、外気側通路（34）へ流入して外気側フィルタ（28）を通過した第２空気は、第２外気側ダンパ（44）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で加湿された第２空気は、第２給気側ダンパ（46）を通って給気側通路（31）へ流入し、給気ファン室（36）を通過後に給気口（22）を通って室内へ供給される。
【００７８】
〈単純換気運転〉
単純換気運転中における調湿装置（10）の動作について、図９を参照しながら説明する。
【００７９】
単純換気運転中の調湿装置（10）では、第１バイパス用ダンパ（83）及び第２バイパス用ダンパ（84）が開状態となり、第１内気側ダンパ（41）、第２内気側ダンパ（42）、第１外気側ダンパ（43）、第２外気側ダンパ（44）、第１給気側ダンパ（45）、第２給気側ダンパ（46）、第１排気側ダンパ（47）、及び第２排気側ダンパ（48）が閉状態となる。また、単純換気運転中において、冷媒回路（50）の圧縮機（53）は停止状態となる。
【００８０】
単純換気運転中の調湿装置（10）では、室外空気が外気吸込口（24）からケーシング（11）内へ取り込まれる。外気吸込口（24）を通って外気側通路（34）へ流入した室外空気は、第１バイパス通路（81）から第１バイパス用ダンパ（83）を通って給気ファン室（36）へ流入し、その後に給気口（22）を通って室内へ供給される。
【００８１】
また、単純換気運転中の調湿装置（10）では、室内空気が内気吸込口（23）からケーシング（11）内へ取り込まれる。内気吸込口（23）を通って内気側通路（32）へ流入した室内空気は、第２バイパス通路（82）から第２バイパス用ダンパ（84）を通って排気ファン室（35）へ流入し、その後に排気口（21）を通って室外へ排出される。
【００８２】
−高圧保護制御について−
上述した除湿換気運転や加湿換気運転では、冷媒回路（50）の冷媒の高圧圧力が高く成りすぎることで、圧縮機（53）や他の構成機器の損傷／故障を招く虞がある。ここで、除湿換気運転や加湿換気運転では、室内で所定の換気量を確保する必要があるため、原則として排気ファン（25）や給気ファン（26）の風量を一定に制御している。このような事情から、冷媒回路（50）の高圧圧力が上昇した場合においては、これらのファン（25,26）の風量を調節して冷媒回路（50）の高圧圧力を低下させることはできない。そこで、この調湿装置（10）では、高圧圧力が異常上昇した場合においては、圧縮機（53）の運転周波数に上限値を設定する高圧保護制御を行うことで、高圧圧力が高くなり過ぎるのを未然に回避するようにしている。以下には、このような高圧保護制御の詳細について説明する。
【００８３】
図１０に示す通常運転（除湿換気運転又は加湿換気運転）では、上述の如く、第１動作と第２動作とが交互に繰り返し行われている。本実施形態において、除湿換気運転についての各動作における一回毎の動作期間Δｔが、それぞれ３分に設定されている。また、加湿換気運転についての各動作における一回毎の動作期間Δｔは、それぞれ４分に設定されている。
【００８４】
通常運転時には、保護制御判定部（122）により保護制御への移行判定が常時行われている。具体的に、制御部（120）には、高圧圧力センサ（91）で検出された高圧冷媒の圧力が適宜入力されている。ここで、異常運転等により、高圧圧力Ｐｈが所定値（保護制御判定閾値）よりも大きくなったとする。その結果、保護制御判定部（122）は、圧縮機（53）の運転周波数に上限値を設定し、圧縮機（53）の運転周波数を制限する保護制御を行う。つまり、保護制御判定部は、高圧圧力Ｐｈが上記保護制御判定閾値所よりも大きくなったことをＩＮ条件として、通常運転から高圧保護制御へ移行させる。
【００８５】
保護制御中には、圧縮機（53）の運転周波数が上限値以下となるように圧縮機（53）が制御される。ここで、上記上限値としては、上記ＩＮ条件が成立した時点での圧縮機（53）の運転周波数が用いられる。
【００８６】
また、このような保護制御中には、上限値更新部（124）によって設定された上限値が適宜更新されて補正される。具体的に、高圧圧力Ｐｈが所定値（下降側更新閾値）よりも大きい場合、現時点で設定されている上限値は高すぎる（制限が緩すぎる）と判断して上限値を所定量だけ低くする補正が行われる。逆に、高圧圧力Ｐｈが所定値（上昇側更新閾値）よりも小さい場合、現時点で設定されている上限値は低すぎる（制限が厳しすぎる）と判断して上限値を所定量だけ高くする補正が行われる。このように、上限値更新部（124）は、高圧圧力Ｐｈに応じて上限値を適宜更新することで、適切な上限値での高圧保護制御を行えるようにしている。
【００８７】
ところが、調湿装置（10）の除湿換気運転や加湿換気運転においては、四方切換弁（54）の切り換えに伴って２つの動作が交互に行われており、冷媒回路（50）の高圧圧力が大きく変動する。具体的には、四方切換弁（54）の切り換え直後には、高圧圧力が一時的に低くなり、その後の動作の継続に連れて高圧圧力が高くなっていく。そして、四方切換弁（54）の切り換え直後には、高圧圧力が最も高くなるような傾向にある。このように、冷媒回路（50）での各動作の動作期間では高圧圧力が安定しないので、高圧圧力Ｐｈが上記上昇側更新閾値よりも小さくなった場合に即座に上限値を高くする更新を行うと、その後に高圧圧力Ｐｈが増大変化して下降側更新閾値より大きくなり、直ぐに上限値が低く更新されることがある。このような理由により、上限値が昇降するような更新が短時間で高頻度に行われると、圧縮機（53）の運転周波数が不安定となり、適切な保護制御を行うことができない。
【００８８】
そこで、上限値更新部（124）は、高圧圧力Ｐｈが、各動作の１回毎の動作時間Δｔ（除湿で３分、加湿で４分）よりも長い連続時間Δｔ２（本実施例形態では６分）以上継続して上記第２更新閾値より小さい場合に、上限値を高くする更新を行うようにしている。これにより、連続時間Δｔ２の期間内には、高圧圧力がピークとなる時点（例えば動作切り換えの直前の時点）も含まれるので、この時点を除く期間だけで判定がなされて不要に上限値が高く更新されてしまうことがない。即ち、上限値の上昇方向への更新の判定は高圧圧力のピーク時点も考慮されて行われるので、高圧圧力の上昇を確実に回避しつつ、短時間で上限値が高頻度に昇降してしまうことが回避される。なお、本実施形態では、上限値を下降させる更新の判定は１０秒毎に適宜行われ、安全性の観点から圧縮機（53）の運転周波数を積極的に低く制限するようにしている。
【００８９】
このような高圧保護制御中において、高圧圧力Ｐｈが低下気味となり、高圧圧力Ｐｈが所定値（保護制御解除判定閾値）よりも小さくなったとする。この場合、保護制御解除判定部（123）は、上限値の設定を解除して保護制御を終了させる。この保護制御の解除判定では、高圧圧力Ｐｈが、各動作の１回毎の動作時間Δｔよりも長い連続時間Δｔ１（本実施形態では６分）以上継続して上記保護制御解除判定閾値より小さい場合に、保護制御を解除して通常運転へ移行させる。つまり、保護制御解除判定部（123）は、高圧圧力Ｐｈが保護制御解除判定閾値をΔｔ１以上継続して小さいことをＯＵＴ条件として、高圧保護制御から通常運転へ移行させる。
【００９０】
これにより、保護制御の解除を成立させるための連続時間Δｔ２の期間内には、高圧圧力がピークとなる時点が含まれるので、この時点を除く期間のみで判定がなされて不要に保護制御が解除されてしまうことがない。即ち、保護制御の解除判定についても、上記の上限値の上昇方向への更正と同様、高圧圧力のピーク時点が考慮されて行われるので、保護制御が解除された時点では未だ高圧圧力が増大変化しており、その後に高圧圧力Ｐｈが上記保護制御判定閾値より大きくなって直ぐに保護制御に移行してしまうことを回避できる。従って、保護制御及びその解除が短時間の間に繰り返し行われてしまうことが回避できる。
【００９１】
−実施形態の効果−
上記実施形態では、高圧保護制御中において、第１及び第２動作の各動作時間Δｔよりも長い連続時間Δｔ１の間、継続して高圧圧力Ｐｈが保護制御解除判定閾値よりも小さい場合に、圧縮機（53）の運転周波数の上限値の設定を解除し、保護制御を終了させるようにしている。これにより、各動作について最も高圧圧力が大きくなる時点も判定期間に入れながら、保護制御の解除の判定を行うことができる。従って、保護制御への移行→保護制御の解除→保護制御の移行…という制御が短時間に高頻度に行われてしまうことを回避でき、圧縮機（53）の運転周波数を安定させながら適切な高圧保護制御を行うことができる。
【００９２】
また、高圧保護制御中において、第１及び第２動作の各動作時間Δｔよりも長い連続時間Δｔ２の間、継続して高圧圧力Ｐｈが第２更新閾値よりも小さい場合に、圧縮機（53）の運転周波数の上限値を高く更新するようにしている。これにより、各動作について最も高圧圧力が大きくなる時点も判定期間に入れながら、上限値を高くする更新判定を行うことができる。従って、上限値が短時間の間に高頻度に昇降してしまうことを回避できるので、保護制御中において適切に上限値を更新することができる。
【００９３】
《その他の実施形態》
上記実施形態では、除湿換気運転についての各動作の動作時間を３分とし、加湿換気運転についての各動作の動作時間を４分としているが、除湿換気運転と加湿換気運転とで各動作時間を同じとしても良い。逆に、保護制御の解除の判定のまたの連続時間Δｔ１や、更新判定のための連続時間Δｔ２を、除湿換気運転と加湿換気運転とが異なる時間としても良い。更に、連続時間Δｔ１と連続時間Δｔ２とを異なる時間としても良い。また、Δｔ１やΔｔ２は、各動作の動作時間Δｔの２倍、若しくは２倍以上の時間としても良い。
【００９４】
また、上記実施形態の冷媒回路（50）では、冷凍サイクルの高圧が冷媒の臨界圧力よりも高い値に設定される超臨界サイクルを行ってもよい。その場合、第１吸着熱交換器（51）及び第２吸着熱交換器（52）は、その一方がガスクーラ（放熱器）として動作し、他方が蒸発器として動作する。
【００９５】
なお、以上の実施形態は、本質的に好ましい例示であって、本発明、その適用物、あるいはその用途の範囲を制限することを意図するものではない。
【産業上の利用可能性】
【００９６】
以上説明したように、本発明は、２つの吸着熱交換器で空気の湿度調節を行う調湿装置に関し、特に低差圧運転時における圧縮機の保護対策について有用である。
【図面の簡単な説明】
【００９７】
【図１】前面側から見た調湿装置をケーシングの一部および電装品箱を省略して示す斜視図である。
【図２】調湿装置の一部を省略して示す概略の平面図、右側面図、及び左側面図である。
【図３】冷媒回路の構成を示す配管系統図であって、(Ａ)は第１動作中の動作を示すものであり、(Ｂ)は第２動作中の動作を示すものである。
【図４】調湿装置の制御部のブロック図である。
【図５】除湿換気運転の第１動作における空気の流れを示す調湿装置の概略の平面図、右側面図、及び左側面図である。
【図６】除湿換気運転の第２動作における空気の流れを示す調湿装置の概略の平面図、右側面図、及び左側面図である。
【図７】加湿換気運転の第１動作における空気の流れを示す調湿装置の概略の平面図、右側面図、及び左側面図である。
【図８】加湿換気運転の第２動作における空気の流れを示す調湿装置の概略の平面図、右側面図、及び左側面図である。
【図９】単純換気運転における空気の流れを示す調湿装置の概略の平面図、右側面図、及び左側面図である。
【図１０】通常運転から高圧保護制御への移行及び高圧保護制御から通常運転への移行を示す状態遷移図である。
【符号の説明】
【００９８】
10     調湿装置
50     冷媒回路
51     第１吸着熱交換器
52     第２吸着熱交換器
53     圧縮機
54     四方切換弁（冷媒流路切換機構）
122    保護制御判定部（制限手段）
123    保護制御解除判定部（解除手段）
124    上限値更新部（更新手段）
【図１】
2009109127.tif 000003
【図２】
2009109127.tif 000004
【図３】
2009109127.tif 000005
【図４】
2009109127.tif 000006
【図５】
2009109127.tif 000007
【図６】
2009109127.tif 000008
【図７】
2009109127.tif 000009
【図８】
2009109127.tif 000010
【図９】
2009109127.tif 000011
【図１０】
2009109127.tif 000012